(57)【要約】【課題】重量物を積載した場合でもパレットが不用意に撓むことを防止し、確実にワイヤなどで懸吊する荷役用パレットの支持装置である。【解決手段】支持装置は前記通孔に挿通した２本の角パイプの両端が挿通する位置決め孔を両側に複数並列に並べ、当該両側の位置決め孔を上下から一対の鋼板で挟み込んで一体とした。各位置決め孔の上部には、鋼板を含んでビス孔を穿孔した。上面側の鋼板の中央部にはハンドルがさらに設けられる。両側の位置決め孔の中間部は鋼板の補強壁面がさらに設けられる。【選択図】図１
2018184227.tif 000002
【特許請求の範囲】
【請求項１】
荷役用パレットの通孔が出現する両側に適用する支持装置であり、当該支持装置は前記通孔に挿通した２本の角パイプの両端が挿通する位置決め孔を両側に複数並列に並べ、当該両側の位置決め孔を上下から一対の鋼板で挟み込んで一体としたことを特徴とするパレットの支持装置。
【請求項２】
各位置決め孔の上部には、鋼板を含んでビス孔を穿孔した請求項１記載のパレットの支持装置。
【請求項３】
上面側の鋼板の中央部にはハンドルがさらに設けられた請求項１または２記載のパレットの支持装置。
【請求項４】
両側の位置決め孔の中間部は鋼板の補強壁面がさらに設けられた請求項１〜３のいずれか記載のパレットの支持装置。
【発明の詳細な説明】
【技術分野】
【０００１】
この発明は、荷役用に利用するパレットに装着する装置で、パレット表面が撓むことなく吊り下げることができる支持装置に関するものである。
【背景技術】
【０００２】
荷役用パレットとしては、表裏面には並列に配した長方形状の平板と、表裏面の中間部に桁材を打ち付けた基本的構造が広く知られている。そして、桁材によって形成された空間部にフォークリフトの２本のフォークを挿入し、パレットを上下させて移動させるのが一般的である。また、パレットを構成する素材としても重量物を積載する必要があるため、合成樹脂やアルミ材などより強い素材を用いた構造も提案されている。
【０００３】
ところで、荷役用パレットの利用法としてはフォークリフトによって搬送するだけでなく、フォークリフトでは届かない高い位置まで搬送するために、パレットの四隅にリング状の取付部を取り付け、この取付部に先端にフックを設けたワイヤロープを引っ掛け、クレーン装置で懸吊するような用法も広く採用されている。
【先行技術文献】
【特許文献】
【０００４】
【特許文献１】特開２０００−１５９４７４号公報
【発明の概要】
【発明が解決しようとする課題】
【０００５】
特許文献１は出願人が先に発明したものであり、パレットの両側に各パイプなどの支持材を通し、その両端に設けられた回転自在な掛止リングにワイヤ先端のフックを掛けて懸吊する構成である。そして、支持材がワイヤによる懸吊時に中央部に寄らないように２本の支持材の距離を固定するための寄り止め材を支持材に架け渡している。
【０００６】
しかしながら、特許文献１に記載の構成では比較的軽量の積載物であれば確実に支持材間の距離を固定することができるが、重量物を積載した場合にはパレットが撓み、これによって支持材がその撓みに応じて幾分内側方向に傾いてしまう。そうすると、両側の支持材の傾きによって寄り止め材が外れてしまうという問題があった。
【０００７】
本発明はこのような従来の問題を解決するもので、パレットに重量物を積載した場合でも安定してパレットを搬送することができるパレットの支持装置を提供することを目的とするものである。
【課題を解決するための手段】
【０００８】
上述した目的を達成するために本発明では、荷役用パレットの通孔が出現する両側に適用する支持装置であり、この支持装置はパレットの通孔に挿通した２本の角パイプの両端が挿通する位置決め孔を両側に複数並列に並べ、これら両側の位置決め孔を上下から一対の鋼板で挟み込んで一体とすることによって、目的を達成する。２本の角パイプはパレットを懸吊する際のパレットの両側を均等の引き上げ力によって持ち上げるためのものであり、位置決め孔は２本の角パイプが偏らない位置に設定するための構成である。また、一対の鋼板は各位置決め孔を確実に固定するための構成であると同時に、パレット表面に積載した荷物によってパレットが撓む方向に変形することを矯正する作用を行う。すなわち、位置決め孔は一対の鋼板によって挟み込まれて回転方向の位置規制をされているので、この位置決め孔に挿通した角パイプもこれによって回転方向の動きが規制される。
【０００９】
さらに、各位置決め孔の上部に鋼板を含んでビス孔を穿孔するという手段を選択的に用いた。これによって、角パイプは挿通方向の動きを規制され、不用意に脱落することがないだけでなく、２本の角パイプと一対の支持装置によって強固なフレームを構成することになり、ねじれなどに対しても強い耐力を有する。上面の鋼板の中央部にハンドルを設ける手段を採用する場合には、比較的重量がある支持装置の運搬を容易とする。
【００１０】
さらに、両側の位置決め孔の中間部には鋼板の補強壁面をさらに設けるという手段を用いた。この補強壁面は支持装置の撓み方向に対する応力を受けるように作用し、支持装置の撓みを確実に防止する。
【発明の効果】
【００１１】
本発明によれば、パレットの支持装置は両側に複数個並列に設けられた通孔を上下２枚の鋼板で挟み込んでいるので重量物を積載した場合でもパレットに挿通した角材を確実に固定することができ、パレット自体の撓みに対する補強とすることができるとともに、支持装置が角材から外れることがない。したがって、安全なパレットの支持装置を提供することができた。
【図面の簡単な説明】
【００１２】
【図１】本発明の支持装置をパレットに装着し、角材をパレットに挿通してワイヤで懸吊した状態を示す斜視図。
【図２】同、パレットと支持装置の分解斜視図。
【図３】同、本発明の支持装置の正面図。
【図４】同、斜視図。
【発明を実施するための形態】
【００１３】
以下、本発明の好ましい実施の形態を添付した図面に従って説明する。図１は本発明の一実施形態を示す斜視図、図２は分解斜視図であって、公知のパレットに本発明の支持装置を取り付けた状態を示す。ここで、１はパレット本体で、表裏面板２・３、及び桁材４によって構成されている。なお、パレット本体は本発明においては構成要素ではないので、公知のパレットであって表裏面材２・３の間に奥行方向に通孔５が形成されているものであれば足りる。６・６はパレット本体１の通孔５に挿通する角パイプであり、２本を並行してパレット本体１の通孔５に差し込んでいる。７は角パイプ６の両端に設けられたワイヤの係止部として機能するリング状の掛止輪であって、回転自在、あるいは回転しないいずれの構成であってもよい。そして、四隅に出現する掛止輪７にワイヤ８〜８を掛け、クレーン装置（図示せず）などによって懸吊する。
【００１４】
角パイプ６・６は、パレット１の通孔５の両側に平行に挿通したうえで、本発明の支持装置９によって位置決めされる。支持装置９の構成は、図３および図４に詳細に示したように、両側にそれぞれ４個の位置決め孔１０…１０が設けられている。より具体的には、位置決め孔１０は引き抜きで成形した角パイプを均等幅で切断して得る。ただし、位置決め孔１０を製造する方法はこれに限定するものではなく、角パイプ６を密に挿通することができる内側口径を有する構造であれば公知の方法で製造することが可能である。そして、位置決め孔１０をそれぞれ両側に４個並べた状態で、上下を鋼板１１・１１で挟み込んで接続し、一例として溶接などで固定している。なお、位置決め孔１０は本実施形態では両側に４個ずつ設けているが、位置決め孔１０を設ける意味は角パイプ６を挿通する位置によって角パイプ６・６間の距離を適宜決定するためであるから、４個に制限する必要はない。また、位置決め孔１０とは、単に「孔」を意味するのではなく、この孔を形成するための周囲のフレーム部を含んだ概念を指し、物理的に幅を有しているものである。また、鋼板１１についても、位置決め孔１０の幅に見合った幅を有する鋼板を採用する。ただし、位置決め孔１０の幅と鋼板１１の幅を正確に一致させる必要はない。１２は持ち運びのためのハンドルである。基本的な構成としては、両側に設けられた位置決め孔１０と、鋼板１１・１１で十分であるが、撓み強度を補強するために、本実施形態では一番内側の位置決め孔１０ａ間に鋼材の補強壁面１３を前後側に設けている。したがって、支持装置９の中央部は断面が縦長の矩形になっている。１４は各位置決め孔１０に対応して位置決め孔１０の上部に鋼板１１を含んで穿孔されたビス孔であり、角パイプ６を挿通した状態でビス１５をビス孔１４に羅合して角パイプ６を締め付けることによって、角パイプ６が動かないように固定している。
【００１５】
このように構成された装置を用いる場合には、先ずパレット１の内部の通孔５に角パイプ６・６を挿通し、それぞれをパレット１の幅方向両側に据え置く。次に本発明装置の支持装置９を角パイプ６・６がパレット１から飛び出ている場所に適応し、位置決め孔１０に角パイプ６・６を挿通する。この場合、角パイプ６を４個の位置決め孔１０の何れに挿通するかについては、角パイプ６・６をワイヤなどによって懸吊した際に傾かないように均等位置になる位置決め孔１０を決定する。両側の支持装置９・９の位置決め孔１０に角パイプ６・６を挿通した後に、ビス１５をビス孔１４に予め形成された内ネジに羅合することによって完成する。その後は角パイプ６の両側端部に設けられた掛止輪７にワイヤを引っ掛けて作業が完了する。
【００１６】
本実施形態では、パレット１の表面板２に荷物を積載した場合、これらの荷物が比較的重量物である場合でも一対の支持装置９・９と一対の角パイプ６・６によってフレームを形成しているので、パレット１に加わる荷重はこのフレームで受けることになるから、パレット１が不必要に撓むことがない。
【符号の説明】
【００１７】
１    パレット
２    表面板
３    裏面板
４    桁材
５    通孔
６    角パイプ
７    掛止輪
９    支持装置
１０  位置決め孔
１１  鋼板
１２  ハンドル
１３  補強壁面
１４  ビス孔
１５  ビス
【図１】
2018184227.tif 000003
【図２】
2018184227.tif 000004
【図３】
2018184227.tif 000005
【図４】
2018184227.tif 000006